(57)【要約】【課題】本発明は、性能面から狭ギャップ化することと、品質面から不良品の発生率を抑えることとを両立し、さらに、製造コストを下げることを目的とする。【解決手段】本発明は、第１のガイド部１０１にフレーム２の内周部２１がガイドされて載置面１００にフレーム２が載置され、第２のガイド部１０２にヨーク３の第１のガイド体部３１がガイドされてフレーム２とヨーク３とが結合され、第２のガイド部１０２に、マグネット４が接合されたプレート５の第２のガイド体部５１がガイドされてマグネット４とヨーク３とが結合され、第３のガイド部１０３にボイスコイル６の内周部がガイドされて第１のガイド部１０１の上面に載置され、フレーム２が振動板７に結合されることを特徴とする。【選択図】図１
2010041547.tif 000002
【特許請求の範囲】
【請求項１】
スピーカの構成部品とは別体に設けられたスピーカの組立て用の治具が用いられたスピーカの製造方法であって、前記治具に設けられたガイド部にフレームがガイドされて前記治具に前記フレームが載置される工程と、前記治具に設けられたガイド部にヨークがガイドされて前記フレームと前記ヨークとが結合される工程と、前記治具に設けられたガイド部に、マグネットが接合されたプレートがガイドされて前記マグネットと前記ヨークとが結合される工程と、前記治具に設けられたガイド部にボイスコイルがガイドされて前記治具に前記ボイスコイルが載置される工程と、前記フレームと、前記振動板とが結合される工程と
前記スピーカの組立て用の治具から前記スピーカの構成部品の組立て品が抜き取られる工程と
を有するスピーカの製造方法。
【請求項２】
前記ボイスコイルは、前記治具に前記ボイスコイルが載置される工程、または、前記フレームと前記振動板とが結合される工程で、前記振動板と結合されることを特徴とする請求項１に記載のスピーカの製造方法。
【請求項３】
治具に設けられた第１のガイド部に、開口部を有するフレームの内周部がガイドされて前記治具に前記フレームが載置される第１の工程と、
前記治具に設けられた第２のガイド部にヨークの短辺側の両端部に設けられた第１のガイド体部がそれぞれガイドされて前記フレームと前記ヨークとが結合される第２の工程と、
前記治具に設けられた第２のガイド部に、マグネットが接合されたプレートの短辺側の両端部に設けられた第２のガイド体部がそれぞれガイドされて前記マグネットと前記ヨークとが結合される第３の工程と、
前記治具に設けられた第３のガイド部にボイスコイルの内周部がガイドされて前記治具に前記ボイスコイルが載置される第４の工程と、
前記フレームの載置部と前記振動板とが結合される第５の工程とを有することを特徴とするスピーカの製造方法。
【請求項４】
前記ボイスコイルは、前記第４の工程、または、前記第５の工程で前記振動板と結合されることを特徴とする請求項３に記載のスピーカの製造方法。
【請求項５】
前記フレームとプロテクタとが結合され、前記プロテクタで前記振動板が覆われる第６の工程をさらに有することを特徴とする請求項３に記載のスピーカの製造方法。
【請求項６】
前記治具に設けられた前記第１のガイド部と、前記第２のガイド部と、前記第３のガイド部との少なくとも２つが一体に形成されたことを特徴とする請求項３に記載のスピーカの製造方法。
【請求項７】
前記第１のガイド部は、２箇所の凸部を有し
前記第２のガイド部は、２箇所の凹部を有し、
前記第３のガイド部は、２箇所の凸部を有し、
前記第１のガイド体部は、２箇所の凸部を有し、
前記第２のガイド体部は、２箇所の凸部を有する
ことを特徴とする請求項３に記載のスピーカの製造方法。
【請求項８】
開口部を有するフレームと、
このフレームの内周部に結合されたヨークと、
このヨークの内側に結合されたマグネットと、
このマグネットの上面に結合されたプレートと、
前記フレームの載置部に結合された振動板と、
この振動板の底面に結合されるとともにその一部が前記ヨークと前記プレートとの間の磁気ギャップ内に配置されたボイスコイルとを備え、
前記ヨークの短辺側の両端部にはそれぞれ第１のガイド体部が設けられ、
前記プレートの短辺側の両端部にはそれぞれ第２のガイド体部が設けられた
ことを特徴とするスピーカ。
【請求項９】
前記第１のガイド体部は、２箇所の凸部を有し、
前記第２のガイド体部は、２箇所の凸部を有する
ことを特徴とする請求項８に記載のスピーカ。
【請求項１０】
前記フレームと結合され、前記振動板を覆うプロテクタをさらに備えたことを特徴とする請求項８に記載のスピーカ。
【請求項１１】
前記フレームは、前記内周部の側壁にヨークを固定するロック部をさらに備えたことを特徴とする請求項８に記載のスピーカ。
【発明の詳細な説明】
【技術分野】
【０００１】
本発明は各種音響機器や映像機器に使用されるスピーカの製造方法、この製造方法によって製造されるスピーカに関するものである。
【背景技術】
【０００２】
従来、スピーカを組み立てる場合、一般に機械による作業が困難であり、熟練を要する手作業に依存していた。
【０００３】
近年、携帯電話などの電子機器に対する小型化、薄型化の要求に伴い、電子機器に搭載されるスピーカにも小型化、薄型化の要求が高まっている。スピーカが小型化、薄型化されるに伴い、手作業による部品の位置ずれの影響が大きくなり、歩留まりが低くなっていた。特に、スピーカの構成部品であるマグネットのサイズが小さくなることによる性能の低下を補うために、プレートとヨークとの間の狭ギャップ化が要求されているが、ボイスコイルがプレートやヨークに接触して歩留まりが低くなることが予測できる。
【０００４】
このため、治具を用いて歩留まりを向上させるスピーカの製造方法が検討されている（例えば、特許文献１を参照）。
【特許文献１】特開２００７−３３６１４５号公報
【発明の開示】
【発明が解決しようとする課題】
【０００５】
しかし、現在、磁気回路部品、振動部品などの部品の組立ては、別々の工程で、別々の治具が使用されて行われている。また、ボイスコイルは、プレートとヨークとの間に治具が使用されずに、挿入されていたため、ボイスコイルとプレート或いはヨークとの狭ギャップ化を図ることができなかった。また、スピーカを製造する場合に部品同士がモールドされる仕様の物は、部品製造コストがかかった。
【０００６】
本発明の目的は、性能面から狭ギャップ化することと、品質面から歩留まりを向上させることとを両立し、さらに、製造コストを下げることを目的とするものである。
【課題を解決するための手段】
【０００７】
本発明の一局面であるスピーカの製造方法は、スピーカの構成部品とは別体に設けられたスピーカの組立て用の治具が用いられたスピーカの製造方法であって、治具に設けられたガイド部にフレームがガイドされて治具に前記フレームが載置される工程と、治具に設けられたガイド部にヨークがガイドされてフレームとヨークとが結合される工程と、治具に設けられたガイド部に、マグネットが接合されたプレートがガイドされてマグネットとヨークとが結合される工程と、治具に設けられたガイド部にボイスコイルがガイドされて治具にボイスコイルが載置される工程と、フレームと振動板とが結合される工程と、スピーカの組立て用の治具からスピーカの構成部品の組立て品が抜き取られる工程とを有することを特徴とする。
【０００８】
また、本発明の他の局面であるスピーカの製造方法は、治具に設けられた第１のガイド部に、開口部を有するフレームの内周部をガイドして治具にフレームが載置される第１の工程と、治具に設けられた第２のガイド部にヨークの短辺側の両端部に設けられた第１のガイド体部がそれぞれガイドされてフレームとヨークとが結合される第２の工程と、治具に設けられた第２のガイド部に、マグネットが接合されたプレートの短辺側の両端部に設けられた第２のガイド体部がそれぞれガイドされてマグネットとヨークとが結合される第３の工程と、治具に設けられた第３のガイド部にボイスコイルの内周部がガイドされて治具にボイスコイルが載置される第４の工程と、フレームの載置部と振動板とを結合する第５の工程とを有することを特徴とする。
【０００９】
また、本発明の他の局面であるスピーカは、開口部を有するフレームと、このフレームの内周部に結合されたヨークと、このヨークの内側に結合されたマグネットと、このマグネットの上面に結合されたプレートと、このフレームの載置部に結合された振動板と、この振動板の底面に結合されるとともにその一部がヨークとプレートとの間の磁気ギャップ内に配置されたボイスコイルとを備え、ヨークの短辺側の両端部にはそれぞれ第１のガイド体部が設けられ、プレートの短辺側の両端部にはそれぞれ第２のガイド体部が設けられたことを特徴とする。
【発明の効果】
【００１０】
本発明によれば、マグネットとヨークとの間を狭ギャップ化することと、歩留まりを向上させることとを両立でき、さらに、製造コストを下げることができる。
【発明を実施するための最良の形態】
【００１１】
以下、本発明の実施の形態について図面を用いて説明する。
【００１２】
（実施の形態１）
まず、スピーカ１と治具１０との全体構成について、図１を用いて説明する。
【００１３】
図１は、スピーカ１が備える各部品と、治具１０とが示された分解斜視図である。本実施形態では、図１において見える上下の関係が、実際の上下の関係である。
【００１４】
スピーカ１は、図１に示されるように、フレーム２と、ヨーク３と、マグネット４と、プレート５と、ボイスコイル６と、振動板７と、プロテクタ８とを備える。ヨーク３とマグネット４とプレート５によって磁気回路が形成される。
【００１５】
治具１０は、第１の取り付け部１１と、第２の取り付け部１２とを備える。この第１の取り付け部１１と、第２の取り付け部１２とによってスピーカ１が備える各部品がガイドされる。
【００１６】
次に、スピーカ１の各部品について説明する。
【００１７】
まず、フレーム２について、図２、および、図３を用いて説明する。
【００１８】
図２は、フレーム２の外観図である。図２（ａ）は、背面図である。図２（ｂ）は、左側面図である。図２（ｃ）は、上面図である。図２（ｄ）は、正面図である。図２（ｅ）は、底面図である。なお、右側面図については、図２（ｂ）の左側面図と対称なので省略する。図３（ａ）は、図２（ｃ）において線Ａ−Ａに沿う断面を矢印Ｂの方向から見たときの断面図である。図３（ｂ）は、図２（ｃ）において線Ｃ−Ｃに沿う断面を矢印Ｄの方向から見たときの断面図である。
【００１９】
フレーム２は、樹脂からなる。フレーム２は、図２に示されるように、略直方体となる形状を有する。また、図２（ｃ）に示されるように、フレーム２の上面は、長辺側の部分と短辺側の部分とからなる矩形形状を有する。
【００２０】
図２（ｃ）、（ｅ）に示されるように、フレーム２の中央部には開口部が設けられている。この開口部によって、フレーム２には内周部２１が設けられている。フレーム２の内周部２１のうち、短辺側の部分である第１の端部２２ａと第２の端部２２ｂとは、それぞれ第１の取り付け部１１と第２の取り付け部１２とによってガイドされる部分である。
【００２１】
フレーム２は、図２（ａ）、（ｄ）に示されるように、正面側に設けられた第１のロック爪２４ａと、背面側に設けられた第２のロック爪２４ｂとを有する。
【００２２】
フレーム２は、図２（ｃ）に示されるように、内周部２１の長辺側の部分にそれぞれ第１のロック部２５ａと第２のロック部２５ｂとを有する。図３（ａ）に示されるように、第１のロック部２５ａは、第１のロック爪２６ａと第２のロック爪２６ｂとを有する。図示されないが、第２のロック部２５ｂも、同様に第３のロック爪２６ｃと第４のロック爪２６ｄとを有する。図３（ａ）に示されるように、フレーム２の内周部２１の背面側の部分で、かつ、長辺側の部分には、第１のロック爪２６ａと第２のロック爪２６ｂが設けられている。そして、第１のロック爪２６ａは先端に第１の係止部２８ａを有し、第２のロック爪２６ｂは先端に第２の係止部２８ｂを有する。また、図示されないが、フレーム２の内周部２１の正面側の部分で、かつ、長辺側の部分には、第３のロック爪２６ｃと第４のロック爪２６ｄが設けられている。そして、図３（ｂ）に示されるように、第３のロック爪２６ｃは先端に第３の係止部２８ｃを有する。また、図示されないが、第４のロック爪２６ｄは先端に第４の係止部２８ｄを有する。
【００２３】
また、図３（ｂ）に示されるように、フレーム２の内周部２１の底面側の部分で、かつ、長辺側の部分には、正面側と背面側のそれぞれにフレーム２の中心方向に突出する突出部２７が設けられている。
【００２４】
各係止部２８ａ、２８ｂ、２８ｃ、２８ｄは、フレーム２の内周部２１の側壁よりもフレーム２の中心側に突出している。
【００２５】
フレーム２は、外周部２３と内周部２１との間に、トラック形状の載置部２９を有する。
【００２６】
次に、ヨーク３について、図４を用いて説明する。
【００２７】
図４（ａ）は、ヨーク３の上面図である。図４（ｂ）は、ヨーク３の右側面図である。図４（ｃ）は、ヨーク３の正面図である。
【００２８】
ヨーク３は、磁性材である鉄等からなる。ヨーク３は、図４（ａ）に示されるように、上面が長辺側の部分と短辺側の部分とからなる略矩形形状を有する。
【００２９】
ヨーク３は、図４（ａ）に示されるように、短辺側の部分の両端に第１のガイド体部３１を有する。第１のガイド体部３１は、短辺側の部分のうち左側の部分から左側の水平方向に突出した第１の凸部３１ａと、短辺側の部分のうち右側の部分から右側の水平方向に突出した第２の凸部３１ｂとを有する。
【００３０】
ヨーク３は、図４（ｂ）に示されるように、長辺側の部分の両端がヨーク３の底面側の部分から上向きに突出した突出部３２を有する。突出部３２は、長辺側の部分のうち背面側の部分に設けられた突出部３２ａと、長辺側の部分のうち正面側の部分に設けられた突出部３２ｂとを有する。
【００３１】
ヨーク３には、図４（ｂ）に示されるように、突出部３２によって凹部３３が設けられている。ヨーク３には、図４（ｂ）に示されるように、凹部３３の底面側の部分にさらに窪み部３４が設けられている。そして、図４（ｂ）に示されるように、ヨーク３の外周部の底面側の部分で、かつ、長辺側の部分であって、突出部３２の底面側の部分に、段差部３５が設けられている。
【００３２】
次に、マグネット４について説明する。
【００３３】
マグネット４は、略直方体の形状を有する。また、マグネット４の上面は、長辺側の部分と短辺側の部分とからなる矩形形状を有する。
【００３４】
次に、プレート５について、図５を用いて説明する。
【００３５】
図５（ａ）は、プレート５の上面図である。図５（ｂ）は、プレート５の右側面図である。図５（ｃ）は、プレート５の正面図である。
【００３６】
プレート５は、図５（ａ）から（ｃ）に示されるように、略直方体の形状を有する。また、図５（ａ）に示されるように、プレート５の上面は、長辺側の部分と短辺側の部分とからなる矩形形状を有する。また、プレート５の底面についても同様の形状を有する。プレート５の底面の矩形形状と、マグネット４の上面の矩形形状とは、略同一に形成される。
【００３７】
プレート５は、図５（ａ）に示されるように、短辺側の部分の両端に第２のガイド体部５１を有する。第２のガイド体部５１は、短辺側の部分のうち左側の部分から左側の水平方向に突出した第１の凸部５１ａと、短辺側の部分のうち右側の部分から右側の水平方向に突出した第２の凸部５１ｂとを有する。第１の凸部５１ａの形状は、ヨーク３に設けられた第１の凸部３１ａの形状と同じ形状に形成される。同様に、第２の凸部５１ｂの形状は、ヨーク３に設けられた第２の凸部３１ｂの形状と同じ形状に形成される。第１の凸部５１ａと第２の凸部５１ｂとは、第１の凸部５１ａと第２の凸部５１ｂとの間隔がヨーク３に設けられた第１の凸部３１ａと第２の凸部３１ｂとの間隔と同じになるように形成される。プレート５には、ヨーク３の突出部３２ａ、３２ｂの内側の壁面との間の空隙を介して磁気ギャップが形成される。
【００３８】
次に、ボイスコイル６について、図６を用いて説明する。
【００３９】
図６（ａ）は、ボイスコイル６の上面図である。図６（ｂ）は、ボイスコイル６の右側面図である。図６（ｃ）は、ボイスコイル６の正面図である。
【００４０】
ボイスコイル６は、巻回された１つの配線からなる。この配線が巻回されることによって、空隙６１が形成されている。ボイスコイル６は、図６（ａ）に示されるように、トラック形状を有する。すなわち、ボイスコイル６は、長辺側の部分のうち背面側の部分に直線形状の直線部６２ａを有し、長辺側の部分のうち正面側の部分に直線形状の直線部６２ｂを有する。また、ボイスコイル６は、短辺側の部分のうち左側の部分に湾曲形状の第１の湾曲部６３ａ、短辺側の部分のうち右側の部分に第２の湾曲部６３ｂを有する。ボイスコイル６は、図６（ｃ）に示されるように、底面から上面までの高さｔ1を有する。
【００４１】
次に、振動板７について、図７を用いて説明する。
【００４２】
図７は、振動板７の上面図である。
【００４３】
振動板７は、図７に示されるように、フレーム２の載置部２９のトラック形状と同一の形状である外周部７１と、ボイスコイル６のトラック形状と同一の形状である内周部７２とを有する。
【００４４】
次に、プロテクタ８について、図８を用いて説明する。
【００４５】
図８（ａ）は、プロテクタ８の上面図である。図８（ｂ）は、プロテクタ８の右側面図である。図８（ｃ）は、プロテクタ８の正面図である。
【００４６】
プロテクタ８の上面は、図８（ａ）に示されるように、略直線形状の長辺側の部分と、湾曲形状の短辺側の部分とからなる。このプロテクタ８の外周部の形状は、振動板７の外周部７１と略同一形状に形成されている。図８（ｂ）、（ｃ）に示されるように、プロテクタ８は、長辺側の部分のうち背面側の部分に設けられた第１のロック部８１ａと、長辺側の部分のうち正面側の部分に設けられた第２のロック部８１ｂとを有する。第１のロック部８１ａには、フレーム２の第１のロック爪２４ａが引っかかる穴が設けられている。また、第２のロック部８１ｂには、フレーム２の第２のロック爪２４ｂが引っかかる穴が設けられている。プロテクタ８は、振動板７を覆って振動板７を保護する。
【００４７】
次に、治具１０について、図９、図１０、図１１を用いて説明する。
【００４８】
図９（ａ）は、治具１０の上面図である。図９（ｂ）は、治具１０の右側面図である。図９（ｃ）は、治具１０の正面図である。図１０は、図９（ａ）における取り付け部１１の拡大図である。図１１は、図９（ａ）における取り付け部１２の拡大図である。
【００４９】
治具１０は、図９（ａ）から（ｃ）に示されるように、平面である載置面１００と、第１のガイド部１０１と、第２のガイド部１０２と、第３のガイド部１０３とを有する。
【００５０】
まず、第１のガイド部１０１について説明する。
【００５１】
第１のガイド部１０１は、第１の凸部１０１ａと、第２の凸部１０１ｂとを有する。第１の凸部１０１ａと、第２の凸部１０１ｂとは、ともに載置面１００より上向きに突出している。
【００５２】
図１０に示されるように、第１の凸部１０１ａの外周部の一部１０１ｃは、第１の凸部１０１ａの外周部における長辺側の部分のうち第２の凸部１０１ｂと対向しない長辺側の部分１０１ｄと、第１の凸部１０１ａの外周部における短辺側の部分１０１ｅ、１０１ｆとからなる。第１の凸部１０１ａの外周部の一部１０１ｃの形状は、フレーム２の内周部２１における第１の端部２２ａと同じ形状になるように形成される。
【００５３】
また、図１１に示されるように、第２の凸部１０１ｂの外周部の一部１０１ｇは、第２の凸部１０１ｂの外周部における長辺側の部分のうち第１の凸部１０１ａと対向しない長辺側の部分１０１ｈと、第２の凸部１０１ｂの外周部における短辺側の部分１０１ｉ、１０１ｊとからなる。また、第２の凸部１０１ｂの外周部の一部１０１ｇの形状は、フレーム２の内周部２１における第２の端部２２ｂと同じ形状になるように形成される。
【００５４】
第１の凸部１０１ａおよび第２の凸部１０１ｂと、フレーム２との関係について説明する。第１の凸部１０１ａと第２の凸部１０１ｂとは、長辺側の部分１０１ｄと長辺側の部分１０１ｈとの間隔がフレーム２の内周部２１の長辺側の部分の長さと同じになるように形成される。また、第１の凸部１０１ａは、長辺側の部分１０１ｄの長さが、フレーム２の内周部２１の短辺側の部分の長さと同じになるように形成される。言い換えると、第１の凸部１０１ａは、一方の短辺側の部分１０１ｅと他方の短辺側の部分１０１ｆとの間隔が、フレーム２の内周部２１の短辺側の部分の間隔と同じになるように形成される。また、第２の凸部１０１ｂは、長辺側の部分１０１ｈの長さが、フレーム２の内周部２１の短辺側の部分の長さと同じになるように形成される。言い換えると、第２の凸部１０１ｂは、一方の短辺側の部分１０１ｉと他方の短辺側の部分１０１ｊとの間隔が、フレーム２の内周部２１の短辺側の部分の間隔と同じになるように形成される。
【００５５】
次に、第２のガイド部１０２について説明する。
【００５６】
第２のガイド部１０２は、第１の凹部１０２ａと、第２の凹部１０２ｂとを有する。第１の凹部１０２ａの形状は、ヨーク３に設けられた第１の凸部３１ａの形状と同じ形状になるように形成されている。第２の凹部１０２ｂの形状は、ヨーク３に設けられた第２の凸部３１ｂの形状と同じ形状になるように形成されている。また、第１の凹部１０２ａと、第２の凹部１０２ｂとは、第１の凹部１０２ａと第２の凹部１０２ｂとの間隔が、ヨーク３に設けられた第１の凸部３１ａと第２の凸部３１ｂとの間隔と同じになるように形成される。さらに、第１の凹部１０２ａと、第２の凹部１０２ｂとは、第１の凹部１０２ａと第２の凹部１０２ｂとの間隔が、プレート５に設けられた第１の凸部５１ａと第２の凸部５１ｂとの間隔と同じになるように形成される。
【００５７】
次に、第３のガイド部１０３について説明する。
【００５８】
第３のガイド部１０３は、第１の凸部１０３ａと、第２の凸部１０３ｂとを有する。第１の凸部１０３ａは、図９（ｂ）、（ｃ）に示されるように、載置面１００から上向きに突出するとともに、第１のガイド部１０１が有する第１の凸部１０１ａの上面から上向きに突出する。同様に、第２の凸部１０３ｂは、載置面１００から上向きに突出するとともに、第１のガイド部１０１が有する第２の凸部１０１ｂの上面から上向きに突出する。
【００５９】
図９（ｃ）に示されるように、第１の凸部１０３ａは、第１の凸部１０１ａの上面から第１の凸部１０３ａの上面までの高さが高さｔ2となるように形成される。同様に、第２の凸部１０３ｂも、第２の凸部１０１ｂの上面から第２の凸部１０３ｂの上面までの高さが同じ高さｔ2となるように形成される。すなわち、第１のガイド部１０１の上面から第３のガイド部１０３の上面までの高さはｔ2となるように形成される。そして、第３のガイド部１０３は、高さｔ2がボイスコイル６の高さｔ1よりも低くなるように形成される。
【００６０】
図１０に示されるように、第１の凸部１０３ａは、第１の湾曲部１０３ｃを有する。第１の湾曲部１０３ｃの形状は、ボイスコイル６が有する第１の湾曲部６３ａの形状と同じになるように形成される。また、図１１に示されるように、第２の凸部１０３ｂは、第２の湾曲部１０３ｄを有する。第２の湾曲部１０３ｄの形状は、ボイスコイル６が有する第２の湾曲部６３ｂの形状と同じになるように形成される。第１の凸部１０３ａと第２の凸部１０３ｂとは、第１の湾曲部１０３ｃと第２の湾曲部１０３ｄとの間隔が、ボイスコイル６に設けられた第１の湾曲部６３ａと第２の湾曲部６３ｂとの間隔と同じになるように形成される。
【００６１】
次にスピーカ１の製造工程について説明する。
【００６２】
第１の工程は、治具１０に設けられた第１のガイド部１０１でフレーム２がガイドされ、フレーム２が治具１０の載置面１００に載置される工程である。すなわち、フレーム２の内周部２１における第１の端部２２ａが第１の凸部１０１ａにおける外周部の一部１０１ｃに上から嵌め込まれて第１の凸部１０１ａに沿って載置面１００までガイドされるとともに、フレーム２の内周部２１における第２の端部２２ｂが第２の凸部１０１ｂにおける外周部の一部１０１ｇに上から嵌め込まれて第２の凸部１０１ｂに沿って載置面１００までガイドされる工程である。
【００６３】
第２の工程は、治具１０に設けられた第２のガイド部１０２でヨーク３がガイドされ、ヨーク３がフレーム２と結合される工程である。この工程では、まずヨーク３の段差部３５に接着剤が塗布される。そして、ヨーク３の第１の凸部３１ａが第１の凹部１０２ａに上から嵌め込まれて第１の凹部１０２ａに沿って下向きにガイドされるとともに、ヨーク３の第２の凸部３１ｂが第２の凹部１０２ｂに上から嵌め込まれて第２の凹部１０２ｂに沿って下向きにガイドされる。そして、ヨーク３の段差部３５とフレーム２の突出部２７とが接合され、接着剤によって固定される。ここで、フレーム２のロック部２５ａは、ヨーク３の突出部３２ａの外側側面をフレーム２の内側方向に押圧し、フレーム２のロック部２５ｂは、ヨーク３の突出部３２ｂの外側側面をフレーム２の内側方向に押圧する。そして、第１の係止部２８ａ、第２の係止部２８ｂはヨーク３の突出部３２ａの上面と接してヨーク３を係止する。同様に、第３の係止部２８ｃ、第４の係止部２８ｄはヨーク３の突出部３２ｂの上面と接してヨーク３を係止する。そのため、組立て後、接着剤が乾くまでにヨーク３が水平方向や上下方向へずれることを防止することができる。
【００６４】
第３の工程は、治具１０に設けられた第２のガイド部１０２で、マグネット４が結合されたプレート５がガイドされ、マグネット４とヨーク３とが結合される工程である。この工程では、まず、マグネット４の上面とプレート５の底面とが接着剤によって接合され、固定される。そして、マグネット４の底面には接着剤が塗布される。そして、マグネット４がプレート５より下側にされた状態で、プレート５の第１の凸部５１ａが第１の凹部１０２ａに上から嵌め込まれて第１の凹部１０２ａに沿って下向きにガイドされるとともに、プレート５の第２の凸部５１ｂが第２の凹部１０２ｂに上から嵌め込まれて第２の凹部１０２ｂに沿って下向きにガイドされる。そして、マグネット４の底面がヨーク３の窪み部３４に嵌め込まれて接合され、接着剤によって固定される。このように、ヨーク３とマグネット４に接合されたプレート５とが同じ第２のガイド部１０２によってガイドされるため、ヨーク３の突出部３２とプレート５との間隔である磁気ギャップが常に一定の間隔に保たれた磁気回路を製造することができる。
【００６５】
第４の工程は、治具１０に設けられた第３のガイド部１０３でボイスコイル６がガイドされて、ボイスコイル６が第１のガイド部１０１の上面に載置される工程である。この工程では、第１の凸部１０３ａの第１の湾曲部１０３ｃとボイスコイル６の第１の湾曲部６３ａの内周部とが接するようにボイスコイル６の第１の湾曲部６３ａが第１の凸部１０３ａに上から嵌め込まれて第１の凸部１０３ａに沿って下向きにガイドされるとともに、第２の凸部１０３ｂの第２の湾曲部１０３ｄとボイスコイル６の第２の湾曲部６３ｂの内周部とが接するようにボイスコイル６の第２の湾曲部６３ｂが第２の凸部１０３ｂに上から嵌め込まれて第２の凸部１０３ｂに沿って下向きにガイドされる。そして、ボイスコイル６の第１の湾曲部６３ａの底面が第１の凸部１０１ａの上面に載置され、ボイスコイル６の第２の湾曲部６３ｂの底面が第２の凸部１０１ｂの上面に載置される。このとき、ボイスコイル６の高さｔ1が第１のガイド部１０１の上面から第３のガイド部１０３の上面までの高さｔ2よりも高いため、ボイスコイル６は、第３のガイド部１０３より上に突出する。
【００６６】
この工程によれば、ボイスコイルの内周部は、ヨークとプレートとがガイドされる治具と同一の治具でガイドされるため、従来の治具を使用しない工法と比較してボイスコイルの内周部とプレート間の隙間を均一にすることができ、品質を向上することができる。さらに、従来の工法よりボイスコイルの内周部とプレート間の隙間を狭くすることができ、磁気ギャップの磁束密度を高くすることができるので、スピーカの性能を向上することができる。
【００６７】
第５の工程は、振動板７がフレーム２とボイスコイル６とに結合される工程である。この工程では、まず、フレーム２の載置部２９、および、振動板７の内周部７２の底面に接着剤が塗布される。そして、フレーム２の載置部２９と振動板７の外周部７１の底面とが接着剤によって接合され、固定されるとともに、ボイスコイル６の上面と振動板７の内周部７２の底面とが接着剤によって接合され、固定される。
【００６８】
第６の工程は、プロテクタ８がフレーム２に結合される工程である。この工程では、プロテクタ８の第１のロック部８１ａにフレーム２の第１のロック爪２４ａが引っかけられるとともに、プロテクタ８の第２のロック部８１ｂにフレーム２の第２のロック爪２４ｂが引っかけられる。これにより、プロテクタ８がフレーム２に装着される。さらに、フレーム２とプロテクタ８が接着剤によって接合され、固定される。
【００６９】
以上より、プレート５とヨーク３との間の磁気ギャップを狭めてスピーカの性能を向上することと、位置ずれを防いで歩留まりを向上させることとを両立することができる。また、歩留まりを向上させることができるので、製造コストを下げることができる。また、各部品を順次上から嵌め込めばスピーカを組み立てることができるため、工程に無駄が少なく、組立ても自動化することができ、さらに製造コストを下げることができる。また、フレーム２とヨーク４のモールド工程が不要になるため、さらに製造コストを下げることができる。
【００７０】
（変形例１）
実施の形態１では、治具１０に、第１の凸部１０１ａと第１の凹部１０２ａと第１の凸部１０３ａとが一体に形成された第１の取り付け部１１が設けられるとともに、第２の凸部１０１ｂと第２の凹部１０２ｂと第２の凸部１０３ｂとが一体に形成された第２の取り付け部１２が設けられたが、一体に形成されず、第１のガイド部１０１と、第２のガイド部１０２と、第３のガイド部とがそれぞれ別々に治具１０に設けられてもよい。この場合、本変形例は、第２のガイド部１０２の凹部１０２ａ、１０２ｂを形成するために、コの字状の凸部が載置面１００から突出する点で、実施の形態１と異なる。また、第１の凸部１０３ａ、第２の凸部１０３ｂに載置面１００から新たな載置部が突出して、この新たな載置部の上面から第１の凸部１０３ａまでの高さと、新たな載置部の上面から第２の凸部１０３ｂの上面までの高さとが同じｔ3となるように形成される点が異なる。
【００７１】
（変形例２）
実施の形態１では、第２のガイド部１０２に第１の凹部１０２ａ、第２の凹部１０２ｂが設けられ、ヨーク３に第１の凸部３１ａ、第２の３１ｂが設けられ、プレート５に第１の凸部５１ａ、第２の５１ｂが設けられ、第２のガイド部１０２によってヨーク３とプレート５とがガイドされたが、逆の形状にされてもよい。すなわち、ヨーク３やプレート５に凹部が設けられ、第２のガイド部１０２に凸部が設けられてもよい。
【００７２】
（変形例３）
実施の形態１では、第２のガイド部１０２に第１の凹部１０２ａ、第２の１０２ｂが設けられ、ヨーク３に第１の凸部３１ａ、第２の３１ｂが設けられ、プレート５に第１の凸部５１ａ、第２の５１ｂが設けられ、同じ第２のガイド部１０２によってヨーク３とプレート５とがガイドされたが、ヨーク３とプレート５とが別々のガイド部によってガイドされてもよい。
【００７３】
（変形例４）
実施の形態１では、ボイスコイル６がトラック形状とされ、第３のガイド部１０３に湾曲形状の第１の湾曲部１０３ｃ、第２の１０３ｄが設けられたが、ボイスコイル６が別の形状にされてもよい。例えばボイスコイル６が矩形形状にされてもよい。この場合、あわせて第１の湾曲部１０３ｃ、第２の１０３ｄの形状も矩形形状にされる。また、ボイスコイル６の形状が変わらない場合であっても、第１の湾曲部１０３ｃ、第２の１０３ｄが、別の形状にされてもよい。図１２から図１５は、本変形例における第３のガイド部１０３の形状が示された図である。図１２は、変形例４におけるスピーカ１が備える各部品と、治具１０とが示された分解斜視図である。図１３（ａ）は、治具１０の上面図である。図１３（ｂ）が、治具１０の右側面図である。図１３（ｃ）は、治具１０の正面図である。図１４は、図１３（ａ）における取り付け部１１ａの拡大図である。図１５は、図１３（ａ）における取り付け部１２ｂの拡大図である。図１２に示されるように、ボイスコイル６の形状はトラック形状であり、実施の形態１と変わらない。一方、図１３、図１４に示されるように、取り付け部１１ａは、第３の凸部１０３ｅを有する。第３の凸部１０３ｅは、第３の湾曲部１０３ｇと、第４の湾曲部１０３ｈを有する。また、図１３、図１５に示されるように、取り付け部１２ｂは、第４の凸部１０３ｆを有する。第４の凸部１０３ｆは、第５の湾曲部１０３ｉと、第６の湾曲部１０３ｊを有する。これら第３の湾曲部１０３ｇ、第４の湾曲部１０３ｈ、第５の湾曲部１０３ｉ、第６の湾曲部１０３ｊの形状は、ボイスコイル６の内周部の一部と略同じ形状になる。
【００７４】
（変形例５）
実施の形態１では、第４の工程で、治具１０に設けられた第３のガイド部１０３によってボイスコイル６がガイドされ、ボイスコイル６が第１のガイド部１０１の上面に載置され、第５の工程で、ボイスコイル６の上面と振動板７の内周部７２の底面とが接着剤によって接合され、固定された。
【００７５】
本変形例では、第４の工程で、ボイスコイル６の上面に振動板７の内周部７２の底面が接着剤によって接合され、固定された後で、治具１０に設けられた第３のガイド部１０３でボイスコイル６がガイドされて、ボイスコイル６が第１のガイド部１０１の上面に載置されてもよい。この場合、第５の工程では、ボイスコイル６が第１のガイド部１０１の上面に載置される前に、フレーム２の載置部２９に接着剤が塗布され、ボイスコイル６が第１のガイド部１０１の上面に載置されるときに、フレーム２の載置部２９と振動板７の外周部７１の底面とが接着剤によって接合され、固定される。本変形例の工程は、ボイスコイル６が動作することにより振動が大きくなるスピーカを製造する場合に適した工程である。
【産業上の利用可能性】
【００７６】
本発明に係るスピーカの製造方法、および、この製造方法によって製造されるスピーカは、携帯電話などの小型の音響機器や電子機器に用いられるスピーカに有用である。
【図面の簡単な説明】
【００７７】
【図１】スピーカ１が備える各部品と、治具１０とが示された分解斜視図
【図２】（ａ）フレーム２の背面図、（ｂ）フレーム２の左側面図、（ｃ）フレーム２の上面図、（ｄ）フレーム２の正面図、（ｅ）フレーム２の底面図
【図３】（ａ）図２（ｃ）において線Ａ−Ａに沿う断面を矢印Ｂの方向から見たときの断面図、（ｂ）図２（ｃ）において線Ｃ−Ｃに沿う断面を矢印Ｄの方向から見たときの断面図
【図４】（ａ）ヨーク３の上面図、（ｂ）ヨーク３の右側面図、（ｃ）ヨーク３の正面図
【図５】（ａ）プレート５の上面図、（ｂ）プレート５の右側面図、（ｃ）プレート５の正面図
【図６】（ａ）ボイスコイル６の上面図、（ｂ）ボイスコイル６の右側面図、（ｃ）ボイスコイル６の正面図
【図７】振動板７の上面図
【図８】（ａ）プロテクタ８の上面図、（ｂ）プロテクタ８の右側面図、（ｃ）プロテクタ８の正面図
【図９】（ａ）治具１０の上面図、（ｂ）治具１０の右側面図、（ｃ）治具１０の正面図
【図１０】図９（ａ）における取り付け部１１の拡大図
【図１１】図９（ａ）における取り付け部１２の拡大図
【図１２】変形例４におけるスピーカ１が備える各部品と、治具１０とが示された分解斜視図
【図１３】（ａ）治具１０の上面図、（ｂ）治具１０の右側面図、（ｃ）治具１０の正面図
【図１４】図１３（ａ）における取り付け部１１ａの拡大図
【図１５】図１３（ａ）における取り付け部１２ｂの拡大図
【符号の説明】
【００７８】
１  スピーカ
２  フレーム
３  ヨーク
４  マグネット
５  プレート
６  ボイスコイル
７  振動板
８  プロテクタ
１０  治具
１１  第１の取り付け部
１２  第２の取り付け部
２１  フレーム２の内周部
２２ａ  第１の端部
２２ｂ  第２の端部
２３  フレーム２の外周部
２４ａ  第１のロック爪
２４ｂ  第２のロック爪
２５ａ  第１のロック部
２５ｂ  第２のロック部
２６ａ  第１のロック爪
２６ｂ  第２のロック爪
２６ｃ  第３のロック爪
２７  突出部
２８ａ  第１の係止部
２８ｂ  第２の係止部
２８ｃ  第３の係止部
２９  載置部
３１  第１のガイド体部
３１ａ  第１の凸部
３１ｂ  第２の凸部
３２、３２ａ、３２ｂ  突出部
３３  凹部
３４  窪み部
３５  段差部
５１  第２のガイド体部
５１ａ  第１の凸部
５１ｂ  第２の凸部
６１  空隙
６２ａ、６２ｂ  直線部
６３ａ  第１の湾曲部
６３ｂ  第２の湾曲部
７１  振動板７の外周部
７２  振動板７の内周部
８１ａ  第１のロック部
８１ｂ  第２のロック部
１００  載置面
１０１  第１のガイド部
１０１ａ  第１の凸部
１０１ｂ  第２の凸部
１０１ｃ  第１の凸部１０１ａの外周部の一部
１０１ｄ  第１の凸部１０１ａの外周部における長辺側の部分のうち第２の凸部１０１ｂと対向しない長辺側の部分
１０１ｅ、１０１ｆ  第１の凸部１０１ａの外周部における短辺側の部分
１０１ｇ  第２の凸部１０１ｂの外周部の一部
１０１ｈ  第２の凸部１０１ｂの外周部における長辺側の部分のうち第１の凸部１０１ａと対向しない長辺側の部分
１０１ｉ、１０１ｊ  第２の凸部１０１ｂの外周部における短辺側の部分
１０２  第２のガイド部
１０２ａ  第１の凹部
１０２ｂ  第２の凹部
１０３  第３のガイド部
１０３ａ  第１の凸部
１０３ｂ  第２の凸部
１０３ｃ  第１の湾曲部
１０３ｄ  第２の湾曲部
１０３ｅ  第３の凸部
１０３ｆ  第４の凸部
１０３ｇ  第３の湾曲部
１０３ｈ  第４の湾曲部
１０３ｉ  第５の湾曲部
１０３ｊ  第６の湾曲部
【図１】
2010041547.tif 000003
【図２】
2010041547.tif 000004
【図３】
2010041547.tif 000005
【図４】
2010041547.tif 000006
【図５】
2010041547.tif 000007
【図６】
2010041547.tif 000008
【図７】
2010041547.tif 000009
【図８】
2010041547.tif 000010
【図９】
2010041547.tif 000011
【図１０】
2010041547.tif 000012
【図１１】
2010041547.tif 000013
【図１２】
2010041547.tif 000014
【図１３】
2010041547.tif 000015
【図１４】
2010041547.tif 000016
【図１５】
2010041547.tif 000017